(57)【要約】【課題】耐久性を向上させることができるとともに長期間の使用であっても騒音防止を確実に図ることのできるシャッタ装置を提供する。【解決手段】室内の空気を排気する排気口１２に接続されるダクトジョイント２１と、このダクトジョイント２１内に設けられるとともに排気口１２に連通した排気開口２５を形成した傾斜板２４と、この傾斜板２４の前に配置され且つ上部が回動自在に軸支されるとともに、その軸３１回りに回動することによって排気開口２５を開閉するシャッタ３０とを備え、このシャッタ３０は排気口１２から排気される排気風の風圧によって排気口１２を開成するようになっている換気用シャッタ装置２０であって、傾斜板２４を斜め下方に向けて傾斜させ、この傾斜板２４の前面であって且つ排気開口２５の周囲にクッション材２６を設け、シャッタ３０を自重によってシャッタ３０の軸３１から垂下させるとともに、このシャッタ３０とクッション材２６との間に隙間を設けた。【選択図】  図２
2004251572.tif 000002
【特許請求の範囲】
【請求項１】
室内の空気を排気する排気口に接続される風洞と、この風洞内に設けられるとともに前記排気口に連通した排気開口を形成した排気開口形成部材と、この排気開口形成部材の前に配置され且つ上部が回動自在に軸支されるとともに、その軸回りに回動することによって前記排気開口を開閉するシャッタとを備え、このシャッタは排気口から排気される排気風の風圧によって排気口を開成するようになっている換気用シャッタ装置であって、
前記排気開口形成部材を斜め下方に向けて傾斜させ、
前記排気開口形成部材の前面であって且つ排気開口の周囲に緩衝部材を設け、
前記シャッタを自重によってシャッタの軸から垂下させるとともに、このシャッタと前記緩衝部材との間に隙間を設けたことを特徴とする換気用シャッタ装置。
【請求項２】
室内の空気を排気する排気口に接続される風洞と、この風洞内に配置されるとともにその排気口を開閉するシャッタとを備え、このシャッタは上部に設けた軸の回りに回動することによって前記排気口を開閉するとともに、前記排気口からの排気風の風圧によって開成するようになっている換気用シャッタ装置であって、
前記シャッタの軸を上下動自在に且つ回動自在に受ける長孔を前記風洞に設け、
前記長孔の位置より前方に突出するとともにその前方に行くにしたがって高さが低くなるように上面が傾斜した傾斜部材を前記風洞内に設け、
前記傾斜部材の上面に当接するとともにその上面に沿って移動可能な係止部をシャッタに設け、
前記シャッタは、前記軸が長孔に案内されるとともに前記係止部が傾斜部材の上面に案内されながら自重によって下方に移動することにより傾斜して前記排気口から離間し、外気の風圧を受けた際、前記係止部が傾斜部材の上面に案内されながら前記軸が長孔に案内されて上方に移動することによりシャッタが前記排気口を閉成することを特徴とする換気用シャッタ装置。
【発明の詳細な説明】
【０００１】
【発明の属する技術分野】
この発明は、例えば換気装置の排気口に設けられる換気用シャッタ装置に関する。
【０００２】
【従来の技術】
従来から、換気装置の排気口を開閉するシャッタを有する換気用シャッタ装置が知られている。
【０００３】
かかる換気用シャッタ装置は、換気装置の排気口に取り付けられる風洞と、この風洞内に設けられるとともに前記排気口を開閉するシャッタとを備えている。このシャッタの上部には軸が設けられており、換気装置のファンの回転によって排気口から排気される排気風の風圧によってシャッタが軸回りに回動するようになっている。このシャッタの回動により排気口が開成され、ファンの回転が停止されるとシャッタは自重によって回動して排気口を閉成するようになっている。
【０００４】
しかし、このようなシャッタ装置にあっては、外風圧によりその風圧がファン回転に伴う排気圧に打ち勝ち、その圧力差でシャッタが排気口の周縁部に衝突することになるので、その騒音がうるさいという問題があった。
【０００５】
そこで、その衝突の際の衝撃を吸収するためにシャッタに弾性を有する突起部を設けたシャッタ装置が提案されている（特許文献１参照）。
【０００６】
かかるシャッタ装置は、樹脂製のシャッタの回動軸の近傍にコ字状の切欠溝を形成し、この切欠溝により弾性を有する切欠片を形成し、この切欠片の先端部に排気口の周縁部に当接する突起部を設けたものである。
【０００７】
【特許文献１】
特開平１０−１４１７３２号（段落００１２，００１３、図３）
【０００８】
【発明が解決しようとする課題】
しかしながら、このようなシャッタ装置にあっては、切欠片が樹脂製であるため、強い力を受けたり弾性変形が繰り返し行われたりすることにより切欠片の根本が白化してしまう等の耐久性に大きな問題があった。また、切欠片の根本が白化してしまうと弾性力がなくなってしまい、騒音が発生してしまう等の問題があった。
【０００９】
この発明の目的は、耐久性を向上させることができるとともに長期間の使用であっても騒音防止を確実に図ることのできるシャッタ装置を提供することにある。
【００１０】
【課題を解決するための手段】
上記目的を達成するため、請求項１の発明は、室内の空気を排気する排気口に接続される風洞と、この風洞内に設けられるとともに前記排気口に連通した排気開口を形成した排気開口形成部材と、この排気開口形成部材の前に配置され且つ上部が回動自在に軸支されるとともに、その軸回りに回動することによって前記排気開口を開閉するシャッタとを備え、このシャッタは排気口から排気される排気風の風圧によって排気口を開成するようになっている換気用シャッタ装置であって、
前記排気開口形成部材を斜め下方に向けて傾斜させ、
前記排気開口形成部材の前面であって且つ排気開口の周囲に緩衝部材を設け、
前記シャッタを自重によってシャッタの軸から垂下させるとともに、このシャッタと前記緩衝部材との間に隙間を設けたことを特徴とする。
【００１１】
請求項２の発明は、室内の空気を排気する排気口に接続される風洞と、この風洞内に配置されるとともにその排気口を開閉するシャッタとを備え、このシャッタは上部に設けた軸の回りに回動することによって前記排気口を開閉するとともに、前記排気口からの排気風の風圧によって開成するようになっている換気用シャッタ装置であって、
前記シャッタの軸を上下動自在に且つ回動自在に受ける長孔を前記風洞に設け、
前記長孔の位置より前方に突出するとともにその前方に行くにしたがって高さが低くなるように上面が傾斜した傾斜部材を前記風洞内に設け、
前記傾斜部材の上面に当接するとともにその上面に沿って移動可能な係止部をシャッタに設け、
前記シャッタは、前記軸が長孔に案内されるとともに前記係止部が傾斜部材の上面に案内されながら自重によって下方に移動することにより傾斜して前記排気口から離間し、外気の風圧を受けた際、前記係止部が傾斜部材の上面に案内されながら前記軸が長孔に案内されて上方に移動することによりシャッタが前記排気口を閉成することを特徴とする。
【００１２】
【発明の実施の形態】
以下、この発明に係わる換気用シャッタ装置の実施形態を図面に基づいて説明する。
［第１実施形態］
図１に示す浴室用の換気装置１０は、本体ケース１１内に換気用シロッコファン（図示せず）と循環用シロッコファン（図示せず）とヒータ（図示せず）とを備えている。
【００１３】
換気装置１０は、換気用シロッコファンの回転により浴室の空気を吸い込んで本体ケース１１の排気口１２（図２参照）から図示しない排気ダクトを介して外へ排気するようになっている。また、循環用シロッコファンの回転により浴室の空気を吸い込むとともに、この吸い込んだ空気をヒータで暖めて浴室へ戻すようになっている。本体ケース１１の排気口１２には、換気用のシャッタ装置２０が取り付けられている。
【００１４】
シャッタ装置２０は、図２に示すように、風洞であるダクトジョイント２１と、このダクトジョイント２１内に設けた例えばポリプロピレン（ＰＰ）等の樹脂製のシャッタ３０等とを備えている。
【００１５】
ダクトジョイント２１は、シャッタ３０等を収納するとともに風路を形成した断面が方形状の収納部２２を有している。
【００１６】
ダクトジョイント２１の収納部２２には、方形状の傾斜板（排気開口形成部材）２４が斜め下方に向くように傾斜して取り付けられており、この傾斜板２４の４辺は収納部２２の周壁にそれぞれ密接していて、排気口１２から排気される排気風が傾斜板２４と収納部２２の周壁との間から漏れないようになっている。傾斜板２４には排気開口２５が形成され、この排気開口２５と本体ケース１１の排気口１２とが連通している。
【００１７】
また、傾斜板２４の前面（図２において左側面）には、排気開口２５の周囲に例えばゴムなどからなるクッション材（緩衝部材）２６が図３に示すように取り付けられている。傾斜板２４の上部には一対の軸受部２７，２７が形成され、この軸受部２７，２７にはシャッタ３０の上部に設けた軸３１の両端部が回動自在に保持されている。シャッタ３０は方形状に形成され、その肉厚は０．２ｍｍ〜１ｍｍの厚さになっているが、好ましくは０．２ｍｍ〜０．７ｍｍの厚さに設定するのがよい。１ｍｍより厚くするとシャッタ３０自体が重くなり、シャッタ３０の閉成時の衝撃音が大きくなってしまう。また、０．２ｍｍより薄くするとシャッタ３０の閉成時に破損してしまう可能性があるからである。
【００１８】
シャッタ３０は、自重により図２に示すように軸３１から下に垂下するとともにクッション材２６から離間するようになっている。
［動  作］
次に、上記のように構成されるシャッタ装置２０の動作について説明する。
【００１９】
換気装置１０が動作していないときには、本体ケース１１の排気口１２から浴室の空気が排気されないので、シャッタ３０は図２に示すように軸３１から下に垂下してクッション材２６から離間している。この離間により、シャッタ３０はシャンプーなどの薬品や浴室の湿気などによりクッション材２６に固着してしまうことが防止される。
【００２０】
この状態で、外の風がダクトジョイント２１内に入り込むと、その外気の風圧によりシャッタ３０は図４に示すように軸３１回りに反時計方向に回動してクッション材２６に当接する。この当接の際、シャッタ３０の肉厚が薄いことにより、またシャッタ３０に当接するがクッション材２６であることにより騒音は発生しない。
【００２１】
そして、シャッタ３０はクッション材２６に当接することにより傾斜板２４の排気開口２５を閉塞する。このシャッタ３０の閉塞により、外気が排気開口２５から換気装置１０の排気口１２を介して浴室内へ入ってしまうことが防止される。
【００２２】
ところで、シャッタ３０の肉厚が薄く設定されているので、シャッタ３０は変形可能であり、このためクッション材２６の面が正確な平面になっていなくともそのクッション材２６の面に密接することができ、確実に排気開口２５を閉塞することができる。また、シャッタ３０の肉厚が薄いことにより、シャッタ３０が受ける風圧が弱くても図４に示すようにシャッタ３０は回動して傾斜板２４の排気開口２５を閉塞する。このため、微風のときでも、シャッタ３０は傾斜板２４の排気開口２５を閉塞するので、微風が浴室に入り込んでしまうことを防止することができる。
【００２３】
そして、外の風が止むと、シャッタ３０は自重により軸３１回りに時計方向に回動して図２に示す元の位置へ戻る。
【００２４】
このように、シャッタ３０は軸３１回りに回動して傾斜板２４の排気開口２５を閉塞したりするものであるから、従来のように一部分が繰り返し弾性変形されてその一部分が白化してしまうなどの問題は生じない。このため耐久性は向上するとともに長期間使用していても騒音の発生を確実に防止することができる。
【００２５】
換気装置１０の動作中、すなわち換気用シロッコファンが回転されると、本体ケース１１の排気口１２から浴室の空気が排気され、この排気口１２から排気される排気風の風圧により、シャッタ３０は軸３１回りに時計方向に回動して図５に示す状態となる。このシャッタ３０の回動により、傾斜板２４の排気開口２５は完全に開成されることになり、排気口１２から排気された浴室の空気は排気開口２５を通って図示しない排気ダクトを介して外へ排気される。
【００２６】
そして、換気用シロッコファンの回転が停止されると、排気口１２から排気される排気風の風圧は急激に減少し、この減少にともなってシャッタ３０は図５の位置から軸３１を中心にして反時計回りに回動して、図４に示すように、シャッタ３０はクッション材２６に衝突するが、シャッタ３０の肉厚が薄いことにより、またシャッタ３０が衝突するのはクッション材２６であることにより、その衝突時の衝撃は小さく、このため騒音は発生しない。
【００２７】
換気用シロッコファンの回転中に、外気の風圧が排気口１２の排気風の風圧に打ち勝ってシャッタ３０が閉成してしまう場合も、上記と同様にシャッタ３０の衝突時の衝撃は小さく、騒音は発生しない。
【００２８】
このように、シャッタ３０には大きな衝撃が加わることがないので、従来のように一部分に大きな力が加わってその一部分が白化してしまう等の問題は生じない。このため、さらに耐久性の向上を図ることができる。
【００２９】
なお、傾斜板２４の傾斜角度（垂直線に対する角度）は、１度から１０度の範囲に設定するのが好ましい。これは、傾斜角度が１度より小さいと、シャッタ３０がクッション材２６に当接してしまい、シャンプーなどの薬品や湿気等によりシャッタ３０がクッション材２６に固着してしまう虞があり、傾斜角を１０度より大きくすると、微風時にシャッタ３０が傾斜板２４の排気開口２５を閉塞することができなくなってしまうからである。
［第２実施形態］
図６および図７は第２実施形態のシャッタ装置１２０を示したものである。図６および図７において、１２１はダクトジョイント２１の収納部２２に設けた後壁板であり、この後壁板１２１には本体ケース１１の排気口１２に対向した排気口１２２が形成され、この排気口１２２の両側であって後壁板１２１の前面には、一対の傾斜部材１２３が設けられている。傾斜部材１２３の上面は、前方にいくにしたがって高さが低くなる傾斜面１２３ａとなっている。
【００３０】
また、収納部２２の両側壁部２２Ａ，２２Ｂには軸受部１２４，１２４が設けられており、各軸受部１２４には上下に延びた長孔１２４Ａが形成されている。各軸受部１２４の長孔１２４Ａにはシャッタ１３０の上部に設けた軸１３１の両端部１３１Ａが回動可能に且つ長孔１２４Ａに沿って上下移動自在に挿入されている。
【００３１】
シャッタ１３０の両側部には方形状の切欠１３２，１３２が形成され、この切欠１３２，１３２内に傾斜部材１２３，１２３が挿入されており、切欠１３２，１３２の上縁部（係止部）１３２ａ，１３２ａが傾斜部材１２３，１２３の傾斜面１２３ａ，１２３ａに当接している。
【００３２】
そして、本体ケース１１の排気口１２から浴室の空気が排気されていないとき、シャッタ１３０は、自重によりシャッタ１３０の軸１３１の両端部１３１Ａが軸受部１２４の長孔１２４Ａの下部に位置するまで下がり、他方、切欠１３２の上縁部１３２ａが傾斜部材１２３の傾斜面１２３ａに案内されて、図７に示すように、シャッタ１３０は傾斜して排気口１２２から離間するようになっている。
［動  作］
次に、上記のように構成されるシャッタ装置１２０の動作について説明する。
【００３３】
換気装置１０が動作していないときには、本体ケース１１の排気口１２から浴室の空気が排気されないので、シャッタ１３０は図７に示すように軸１３１から斜め下方に傾斜しており、排気口１２２から離間している。この状態で、外の風がダクトジョイント２１内に入り込むと、その外気の風圧によりシャッタ１３０は、切欠１３２の上縁部１３２ａが傾斜部材１２３の傾斜面１２３ａに案内されて上に移動していき、この移動にともない軸１３１の両端部１３１Ａが軸受部１２４の長孔１２４Ａに沿って上へ移動していく。そして、シャッタ１３０は図８に示すように傾斜面１２３ａの最上部位置まで移動して後壁板１２１に当接し、排気口１２２を閉塞する。この閉塞により外気は浴室内に入り込まないことになる。
【００３４】
このように、シャッタ１３０は傾斜部材１２３の傾斜面１２３ａに案内されて上に移動して後壁板１２１に当接するので、この当接する際の衝撃が傾斜部材１２３の傾斜面１２３ａにより吸収されることになり、大きな騒音の発生は防止される。また、シャッタ１３０が傾斜部材１２３に案内されて移動していき、摩擦抵抗によりシャッタ１３０の速度を低下させる構造であることにより、騒音の発生を防止することができるとともに耐久性の向上を図ることができる。
【００３５】
風が止むと、シャッタ１３０は自重により図７に示す位置へ戻り、風がないとき、シャッタ１３０は常に後壁板１２１から離間している。この離間により、シャッタ１３０はシャンプーなどの薬品や湿気等により後壁板１２１に固着してしまうことが防止される。
【００３６】
換気装置１０の換気用シロッコファンが回転されると、本体ケース１１の排気口１２から浴室の空気が排気され、この排気口１２から排気される排気風の風圧により、シャッタ１３０は軸１３１回りに時計方向に回動して図９に示す状態となる。このシャッタ１３０の回動により、排気口１２２は完全に開成されることになり、本体ケース１１の排気口１２から排気された浴室の空気は後壁板１２１の排気口１２２を通って図示しない排気ダクトを介して外へ排気される。
【００３７】
そして、換気用シロッコファンの回転が停止されると、排気口１２から排気される排気風の風圧は急激に減少し、この減少にともなってシャッタ１３０は図９に示す位置から軸１３１を中心にして反時計回りに回動して、図７に示すように、シャッタ１３０の切欠１３２の上縁部１３２ａが傾斜部材１２３の傾斜面１２３ａに当接する。そして、シャッタ１３０は慣性によりさらに図７に示す位置から反時計回りに回動していくが、この回動とともに切欠１３２の上縁部１３２ａが傾斜部材１２３の傾斜面１２３ａに案内されることにより、シャッタ１３０は図８に示すように上方に移動して後壁板１２１に当接する。
【００３８】
この当接の際の衝撃は、傾斜部材１２３の傾斜面１２３ａに吸収されることになり、大きな騒音の発生は防止される。
【００３９】
換気用シロッコファンの回転中に、外気の風圧が排気口１２の排気風の風圧に打ち勝ってシャッタ１３０が閉成してしまう場合も、上記と同様にシャッタ１３０の当接の際の衝撃は小さく、騒音は発生しない。
【００４０】
このように、シャッタ１３０には大きな衝撃が加わることがないので、従来のように一部分に大きな力が加わってその一部分が白化してしまう等の問題は生じない。このため、さらに耐久性の向上を図ることができる。
【００４１】
上記の何れの実施形態も浴室用の換気装置１０に設けたシャッタ装置２０，１２０について説明したが、これに限らず、他の換気装置に適用できることは勿論である。
【００４２】
【発明の効果】
以上説明したように、この発明によれば、耐久性を向上させることができるとともに長期間の使用であっても騒音の防止を確実に図ることができる。
【図面の簡単な説明】
【図１】この発明に係るシャッタ装置を取り付けた換気装置の外観を示した側面図である。
【図２】図１のシャッタ装置の構成を示した断面図である。
【図３】図２に示すシャッタ装置の正面図である。
【図４】シャッタが排気開口を閉塞した状態を示した説明図である。
【図５】排気口の排気風の風圧によってシャッタが回動して排気開口が開成された状態を示した説明図である。
【図６】第２実施形態のシャッタ装置の構成を示した斜視図である。
【図７】第２実施形態のシャッタ装置の構成を示した断面図である。
【図８】シャッタが排気口を閉塞した状態を示した説明図である。
【図９】排気口の排気風の風圧によってシャッタが回動して排気開口が開成された状態を示した説明図である。
【符号の説明】
１２                    排気口
２０                    シャッタ装置
２１                    ダクトジョイント（風洞）
２４                    傾斜板（排気開口形成板）
２５                    排気開口
２６                    クッション材（緩衝部材）
３０                    シャッタ
３１                    軸
【図１】
2004251572.tif 000003
【図２】
2004251572.tif 000004
【図３】
2004251572.tif 000005
【図４】
2004251572.tif 000006
【図５】
2004251572.tif 000007
【図６】
2004251572.tif 000008
【図７】
2004251572.tif 000009
【図８】
2004251572.tif 000010
【図９】
2004251572.tif 000011